(57)【特許請求の範囲】
【請求項１】
簀の子の隣接した両突条の対向間隔内に回転可能に取り付けられ、傾倒位置では前記対向間隔内に収納され、前記傾倒位置から上方に回転した起立位置では、前記両突条の上面より上方に突出する簀の子用の把手において、
上記把手は、
前記簀の子の前記対向間隔内の底に位置する底壁に設けられた排水孔を通過可能な把手本体と、
この把手本体の一端部に位置し、前記両突条にそれぞれ面した厚み方向の両側面からそれぞれ突出し、前記排水孔を通過する際には、互いに接近する方向にたわみ、前記排水孔を通過後、復元して突出し、両突出端の距離が前記把手本体の前記厚み方向に位置する前記排水孔の幅より大きく設定されている一対の弾性突部と、
両弾性突部と前記底壁を挟んで対向し、前記両側面からそれぞれ突出し、両突出端の距離が前記排水孔の前記幅より大きく設定されている一対の突起部とを備えていることを特徴とする簀の子用の把手。
【請求項２】
把手本体には、
前記把手本体の一対の弾性突部を有する一端部に位置するとともに、傾倒位置において上縁部に位置し、当該上縁部から上方に向かって突出する操作用の凸部を設けていることを特徴とする請求項１記載の簀の子用の把手。
【請求項３】
把手本体には、
前記把手本体の一対の弾性突部を有する一端部に位置するとともに、傾倒位置において下縁部に位置し、当該下縁部から上方に向かって凹んだ凹部を設けていることを特徴とする請求項１又は請求項２記載の簀の子用の把手。
【請求項４】
把手本体には、
前記把手本体の一対の弾性突部を有する一端部と反対側の他端部に位置し、前記把手本体の両側面から厚み方向にそれぞれ凹んだ一対の把持部を設けていることを特徴とする請求項１〜３のいずれか１項に記載の簀の子用の把手。
【発明の詳細な説明】
【０００１】
【発明の属する技術分野】
この発明は、簀の子用の把手に関し、特に取り付けが容易にできるようにしたものである。
【０００２】
【従来の技術】
従来、この種の把手としては、簀の子の隣接した両条片の対向間隔内に回転可能に取り付けられたものが知られている（例えば実公平６−３３９０５号公報）。
上記従来の簀の子は、複数個の条片が相互に間隙をおいて、ボルトとナットとにより連結されていた。
【０００３】
前記従来の把手は、上記ボルトに通され、ボルトを中心に回転可能に取り付けられている。
そして、上記従来の把手は、傾倒位置では前記条片の対向間隔内に収納されている。そして、前記傾倒位置から上方に回転した起立位置では、前記条片の上面より上方に突出する。
【０００４】
【発明が解決しようとする課題】
しかし、上記した従来の把手は、条片を連結するボルトに通して取り付けなければならないので、取り付けが面倒で有り、又、簀の子の組立時に取り付けなればならないという問題点があった。
（請求項１）
そこで、請求項１記載の発明は、上記した従来の技術の有する問題点に鑑みてなされたものであり、その目的とするところは、次の点にある。
【０００５】
すなわち、請求項１記載の発明は、簀の子の排水孔を利用して把手を簡単に取り付けることができるようしたものである。
（請求項２）
請求項２記載の発明は、上記した請求項１記載の発明の目的に加え、次の点を目的とする。
【０００６】
すなわち、請求項２記載の発明は、傾倒して収納された把手を、容易に起立させることができるようにしたものである。
（請求項３）
請求項３記載の発明は、上記した請求項１又は請求項２記載の発明の目的に加え、次の点を目的とする。
【０００７】
すなわち、請求項３記載の発明は、把手が排水孔を通過し易くできるようにしたものである。
（請求項４）
請求項４記載の発明は、上記した請求項１〜３のいずれか１項に記載の発明の目的に加え、次の点を目的とする。
【０００８】
すなわち、請求項４記載の発明は、把手を持ち易くでき、しかも両把持部を凹状とすることで、簀の子に必要以上の負荷がかかった場合に、指が滑って把手に無理な負荷がかからないようにしたものである。
【０００９】
【課題を解決するための手段】
各請求項にそれぞれ記載された各発明は、上記した各目的を達成するためになされたものであり、各発明の特徴点を図面に示した発明の実施の形態を用いて、以下に説明する。
（請求項１）
請求項１記載の発明は、次の点を特徴とする。
【００１０】
すなわち、把手(30)は、図１〜３に示すように、把手本体(40)と、一対の弾性突部(51)と、一対の突起部(52)とを備えている。
上記把手本体(40)は、図１，２に示すように、簀の子(10)の対向間隔内の底に位置する底壁(11)に設けられた排水孔(13)を通過可能なものである。
前記弾性突部(51)は、図３に示すように、前記把手本体(40)の一端部に位置し、両突条(12,12)にそれぞれ面した厚み方向の両側面からそれぞれ突出し、排水孔(13)を通過する際には、互いに接近する方向にたわみ、前記排水孔(13)を通過後、復元して突出し、両突出端の距離が前記把手本体(40)の前記厚み方向に位置する前記排水孔(13)の幅より大きく設定されている。
【００１１】
前記突起部(52)は、図３に示すように、両弾性突部(51)と前記底壁(11)を挟んで対向し、前記両側面からそれぞれ突出し、両突出端の距離が前記排水孔(13)の前記幅より大きく設定されている。
（請求項２）
請求項２記載の発明は、上記した請求項１記載の発明の特徴点に加え、次の点を特徴とする。
【００１２】
すなわち、把手本体(40)には、図３に示すように、操作用の凸部(44)を設けている。
上記凸部(44)は、把手本体(40)の一対の弾性突部(51)を有する一端部に位置するとともに、傾倒位置において上縁部に位置し、当該上縁部から上方に向かって突出している。
（請求項３）
請求項３記載の発明は、上記した請求項１又は請求項２記載の発明の特徴点に加え、次の点を特徴とする。
【００１３】
すなわち、把手本体(40)には、図３に示すように、凹部(45)を設けている。
上記凹部(45)は、把手本体(40)の一対の弾性突部(51)を有する一端部に位置するとともに、傾倒位置において下縁部に位置し、当該下縁部から上方に向かって凹んでいる。
（請求項４）
請求項４記載の発明は、上記した請求項１〜３のいずれか１項に記載の発明の特徴点に加え、次の点を特徴とする。
【００１４】
すなわち、把手本体(40)には、一対の把持部(43,43)を設けている。
前記把持部(43)は、把手本体(40)の一対の弾性突部(51)を有する一端部と反対側の他端部に位置し、前記把手本体(40)の両側面から厚み方向にそれぞれ凹んでいる。
【００１５】
【発明の実施の形態】
（図面の説明）
図１〜１０は、本発明の実施の形態の一例をそれぞれ示すものである。
図１は、把手を起立させた状態を示す簀の子の断面図、図２は把手を起立させた状態を示す簀の子の斜視図をそれぞれ示す。
【００１６】
図３〜６は、把手をそれぞれ示し、図３は斜視図、図４は側面図、図５は平面図、図６は他の側面図をそれぞれ示す。
図７，８は、把手の取付状態をそれぞれ示し、図７は把手を簀の子の排水孔に挿入した状態を示す簀の子の一部断面図、図８は把手の弾性突部が簀の子の排水孔を通過する際の簀の子の一部断面図をそれぞれ示す。
【００１７】
図９，１０は、把手の使用状態をそれぞれ示し、図９は把手の傾倒状態を示す簀の子の一部断面図、図１０は把手の起立状態を示す簀の子の一部断面図をそれぞれ示す。
（簀の子）
図中、10は簀の子を示し、この簀の子10は、図１に示すように、浴室の排出溝20に設置され、把手30を使用して排出溝20から取り外すことができる。
【００１８】
上記簀の子10は、図１，２に示すように、前記排水溝20に沿って長尺な底壁11と、この底壁11の上面からＴ字形に延び、前記排水溝20の幅方向に沿って離れた複数の突条12・・・とを備えている。
上記底壁11には、図１，２に示すように、隣接した突条12の対向間隔内に位置し、排水溝20の長手方向に沿って所定間隔離れて位置する複数の排水孔13・・・を設けている。
【００１９】
上記排水孔13は、図１，２に示すように、簀の子10の長手方向に長い長方形状を成し、底壁11を上下に貫通している。
前記各突条12の上端部は、図１，２に示すように、滑り止め用のゴム製等のカバー14により覆われている。
（把手）
前記把手30は、図１，２に示すように、簀の子10の排水孔13を通過可能な断面形状を成し、把手本体40を中心に構成されている。
【００２０】
上記把手本体40は、図６に示すように、簀の子10の隣接する突条12の対向間隔以下の厚みに形成されて、適度な弾性と剛性を有する熱可塑性樹脂で一体的に形成されている。
また、把手本体40は、図９に示すように、傾倒した状態の把手本体40の上下の高さが、簀の子10の底壁11の底から突条12のカバー14の上面迄の高さ以下に設定されている。
【００２１】
そして、把手本体40は、図１，２に示すように、簀の子10のカバー14の上面より上方に突出し、図３〜５では向かって右側に位置する操作端部41と、この操作端部41に連続し、図３〜５では向かって右側に位置し、隣接する突条12の対向間隔内に位置する基端部42とを有している。
（操作端部）
上記操作端部41には、図３〜５に示すように、その左右の側面から湾曲して円弧状にそれぞれ窪んだ左右一対の把持部43,43を設けている。
（基端部）
前記把手本体40の基端部42には、図９に示すように、傾倒した状態の上縁部から上方に向かって突出した操作用の凸部44を設けている。
【００２２】
上記凸部44は、図９に示すように、傾倒した状態で、簀の子10のカバー14の上面と同一面となり、図３，４に示すように、斜面を操作端部41に向けた略台形形に形成されている。このように、凸部44をカバー14の上面と同一面とすることで、カバー14の上面からの把手30の突出を防止している。
なお、凸部44をカバー14の上面と同一面としているが、これに限らず、カバー14の上面より少し低くしても良い。また、凸部44は、僅かであれば、カバー14の上面より上方に向かって突出させても良い。
【００２３】
また、把手本体40の基端部42の下縁部には、図３，４に示すように、下方に向かって略Ｖ乃至はくの字形に屈曲して延びた厚肉部50を設けている。
上記厚肉部50は、図６に示すように、簀の子10の排水孔13の幅以下の厚みに形成されている。
また、把手本体40の下縁部には、図３，４に示すように、前記厚肉部50に隣接するとともに、前記凸部44と背向して凹状に凹んだ凹部45を設けている。
【００２４】
上記凹部45の幅は、図８に示すように、簀の子10の底壁11の板厚以上に設定されている。
すなわち、把手本体40の上縁部から突出する凸部44を設けたことにより、把手本体40の高さが排水溝20の長辺より大きくなってしまう。このため、前記凸部44を通過させるために、反対側の側縁部に凹部45を設け、図８に示すように、凹部45内に底壁11をはめ込むことで、凸部44が排水溝20を通過できるようにしている。
（厚肉部）
前記厚肉部50には、図３〜６に示すように、左右一対の弾性凸部51と、左右一対の突起部52,52とを設けている。
【００２５】
上記各弾性凸部51は、図３〜６に示すように、厚肉部50の左右の両側面から横向きにそれぞれ突出している。
具体的には、弾性凸部51は、図３，４に示すように、厚肉部50の各側面をコ字形にそれぞれ切り欠いて形成され、図５，６に示すように、三角形状にそれぞれ突出し、各斜面を把手本体40の操作端部41に向けている。
【００２６】
なお、左右の弾性凸部51は、図６に示すように、上下に互い違いに離れて設けられているが、これに限らず、横一線に背向させて設けても良い。
前記各突起部52は、図３〜６に示すように、前記弾性凸部51の下側に位置し、該弾性凸部51と簀の子10の底壁11の板厚以上の距離を保って対向し、左右の両側面から横向きにそれぞれ突出している。
【００２７】
具体的には、各突起部52は、図３〜６に示すように、円柱形にそれぞれ突出している。
（取付方法）
上記した構成を備えた把手30の取付方法について、以下に説明する。
まず、把手30を、図７，８に示すように、簀の子10に取り付ける。
【００２８】
すなわち、把手本体40を、図７，８に示すように、簀の子10の排水孔13に合わせて、下方から隣接した突条12の対向間隔内に向かって操作端部41より挿入する。
このとき、把手30の左右の弾性凸部51が、簀の子10の排水孔13の内縁部に押される。すなわち、各弾性凸部51の斜面が、簀の子10の排水孔13の内縁部に押されて、樹脂の弾性力に抗して、両弾性凸部51が互いに接近する方向にたわみ込む。
【００２９】
そして、左右の弾性凸部51が、図８に示すように、簀の子10の排水孔13を通過すると、樹脂の弾性復元力により、パチンと拡開する。
このため、把手30は、図１，３に示すように、左右の弾性凸部51により、簀の子10の排水孔13より下方に抜けなくなる。また、左右の突起部52が、簀の子10の底壁11を挟んで左右の弾性凸部51の下側に位置するため、把手30は簀の子10の排水孔13より上方に抜けなくなる。
【００３０】
こうして、把手30が、図１，２に示すように、簀の子10に取り付く。
（使用方法）
つぎに、把手30の使用方法について、以下に説明する。
まず、把手本体40は、図９に示すように傾倒した状態では、隣接した突条12の対向間隔内に収納されている。
【００３１】
上記収納状態では、把手本体40の上縁部は、図９に示すように、簀の子10のカバー14の上面とほぼ面一となっている。
このとき、把手本体40の操作用の凸部44が、図９に示すように、簀の子10のカバー14の上面より上方に僅かに突出している。
つぎに、簀の子10を取り外すには、図１，２，１０に示すように、把手30を起立させる。
【００３２】
すなわち、把手30の上方より、簀の子10の隣接した突条12の対向間隔に指を沿わせ、把手本体40の基端部42に向かって指を押し進める。
このとき、指が圧接されることで、指先の腹が隣接した突条12の対向間隔内に少し食い込み、把手本体40の操作用の凸部44の斜面に摺接する。
このため、操作用の凸部44の斜面の作用により、図１０に示すように、左右の弾性凸部51を概略中心として把手30が上方に回転する。
【００３３】
こうして、把手30を起立させると、図１，２，１０に示すように、その操作端部41が隣接した突条12の対向間隔内から上方に向かって突出する。
その後、上方に突出した操作端部41の左右の把持部43を２本の指で摘み、上方に持ち上げることで、簀の子10を浴室の排出溝20から取り外すことができる。
なお、把手30の最大起立角度は、図１０に示すように、把手本体40の基端部42の端面が、簀の子10の排水孔13の内縁部に当接した位置により規制される。
【００３４】
一方、左右の把持部43から指を離すと、把手30は、自重で下方に回転し、図９に示すように、隣接した突条12の対向間隔内に再度、収納される。
【００３５】
【発明の効果】
本発明は、以上のように構成されているので、以下に記載されるような効果を奏する。
（請求項１）
請求項１記載の発明によれば、次のような効果を奏する。
【００３６】
すなわち、請求項１記載の発明によれば、簀の子の排水孔を利用して把手を簡単に取り付けることができる。
（請求項２）
請求項２記載の発明によれば、上記した請求項１記載の発明の効果に加え、次のような効果を奏する。
【００３７】
すなわち、請求項２記載の発明によれば、傾倒して収納された把手を、容易に起立させることができる。
（請求項３）
請求項３記載の発明によれば、上記した請求項１又は請求項２記載の発明の効果に加え、次のような効果を奏する。
【００３８】
すなわち、請求項３記載の発明によれば、把手が排水孔を通過し易くすることができる。
（請求項４）
請求項４記載の発明によれば、上記した請求項１〜３のいずれか１項に記載の発明の効果に加え、次のような効果を奏する。
【００３９】
すなわち、請求項４記載の発明によれば、把手を持ち易くでき、しかも両把持部を凹状とすることで、簀の子に必要以上の負荷がかかった場合に、指が滑って把手に無理な負荷がかからないようにすることができる。
【図面の簡単な説明】
【図１】把手を起立させた状態を示す簀の子の断面図である。
【図２】把手を起立させた状態を示す簀の子の斜視図である。
【図３】把手の斜視図である。
【図４】把手の側面図である。
【図５】把手の平面図である。
【図６】把手の他の側面図である。
【図７】把手を簀の子の排水孔に挿入した状態を示す簀の子の一部断面図である。
【図８】把手の弾性突部が簀の子の排水孔を通過する際の簀の子の一部断面図である。
【図９】把手の傾倒状態を示す簀の子の一部断面図である。
【図１０】把手の起立状態を示す簀の子の一部断面図である。
【符号の説明】
10  簀の子      11  底壁
12  突条        13  排水孔
14  カバー      20  排水溝
30  把手        40  把手本体
41  操作端部    42  基端部
43  把持部      44  凸部
45  凹部        50  厚肉部
51  弾性突部    52  突起部
【図１】
0003720481.tif 000002
【図２】
0003720481.tif 000003
【図３】
0003720481.tif 000004
【図４】
0003720481.tif 000005
【図５】
0003720481.tif 000006
【図６】
0003720481.tif 000007
【図７】
0003720481.tif 000008
【図８】
0003720481.tif 000009
【図９】
0003720481.tif 000010
【図１０】
0003720481.tif 000011